(57)【要約】      （修正有）【課題】ケーシングからステーベーンに向かう水の流入角度をステーベーンの入口角度に合わせてステーベーン周りの流れを整流することで、水力機械の水力損失を抑制することができる入口弁を提供する。【解決手段】円筒状の弁胴の内部を流れる水を閉止するための主板２１と、主板２１に対向するように配置される副板２２とを有し、弁胴の中心軸に直交する方向に延びる弁軸を中心に主板２１及び副板２２を弁胴内で一体的に回転させる弁体２０を備える複葉弁１０Ｂにおいて、主板２１の板厚方向に互いに対向する一対の面２１Ａ，２１Ｂ及び副板２２の板厚方向に互いに対向する一対の面２２Ａ，２２Ｂが、弁軸に直交する断面で見た際に湾曲状となっている。水力機械の上流側に配置されて且つ全開状態とされた際に、前記湾曲状の面が、ケーシング２から離れる側に凸となる。【選択図】図２
2019132323.tif 000002
【特許請求の範囲】
【請求項１】
円筒状の弁胴の内部を流れる水を閉止するための主板と、前記主板に対向するように配置される副板とを有し、前記弁胴の中心軸に直交する方向に延びる弁軸を中心に前記主板及び前記副板を前記弁胴内で一体的に回転させる弁体を備え、
渦巻き型のケーシングと前記ケーシングの内周側に配置される複数のステーベーンとを有する水力機械の上流側に配置されて前記水力機械に水を流入させる際に、前記主板及び前記副板の少なくともいずれか一方の向き又は形状によって、前記弁体に対して下流の流れを、前記弁体に対して上流の流れよりも前記ケーシングの巻始め側に位置する前記ステーベーンの入口角度に沿うように転向させる、入口弁。
【請求項２】
前記主板の板厚方向に互いに対向する一対の面及び前記副板の板厚方向に互いに対向する一対の面のうちの少なくともいずれか一つの面の少なくとも一部が、前記弁軸に直交する断面で見た際に湾曲状又は屈曲状となっており、
前記水力機械の上流側に配置されて且つ全開状態とされた際に、前記湾曲状又は屈曲状の面が、前記弁胴の中心軸及び前記弁軸の双方に直交する方向において前記ケーシングから離れる側に凸となる、請求項１に記載の入口弁。
【請求項３】
前記弁体は、互いに対向する前記主板の面と前記副板の面とを連結するリブを有し、
前記湾曲状又は屈曲状の面は、前記主板の前記リブとの連結部及び前記副板の前記リブとの連結部を避けた位置に形成され、
前記主板が前記湾曲状又は屈曲状の面が有する場合には、前記主板の前記湾曲状又は屈曲状の面を含む部分の板厚が前記主板の前記連結部を含む部分の板厚よりも小さくなり、前記副板が前記湾曲状又は屈曲状の面を有する場合には、前記副板の前記湾曲状又は屈曲状の面を含む部分の板厚が前記副板の前記連結部を含む部分の板厚よりも小さくなる、請求項２に記載の入口弁。
【請求項４】
前記水力機械の上流側に配置されて且つ全開状態とされた際に、前記主板及び前記副板のうちの前記ケーシングに近くなる方のみが、前記湾曲状又は屈曲状の面を有する、請求項２又は３に記載の入口弁。
【請求項５】
前記主板及び／又は前記副板の少なくとも一部が、前記弁軸に直交する断面で見た際に翼形状になっており、
前記翼形状をなす領域の翼面部分が、前記湾曲状又は屈曲状の面を形成している、請求項２乃至４のいずれかに記載の入口弁。
【請求項６】
円筒状の弁胴の内部を流れる水を閉止するための少なくとも一つの弁板を有し、前記弁胴の中心軸に直交する方向に延びる弁軸を中心に前記弁板を前記弁胴内で回転させる弁体を備え、
渦巻き型のケーシングと前記ケーシングの内周側に配置される複数のステーベーンとを有する水力機械の上流側に配置されて前記水力機械に水を流入させる際に、前記弁体の向き又は形状によって、前記弁体に対して下流の流れを、前記弁体に対して上流の流れよりも前記ケーシングの巻始め側に位置する前記ステーベーンの入口角度に沿うように転向させる、入口弁。
【請求項７】
前記弁板の板厚方向に互いに対向する一対の面のうちの少なくともいずれか一つの面の少なくとも一部が、前記弁軸に直交する断面で見た際に湾曲状又は屈曲状となっており、
前記水力機械の上流側に配置されて且つ全開状態とされた際に、前記湾曲状又は屈曲状の面が、前記弁胴の中心軸及び前記弁軸の双方に直交する方向において前記ケーシングから離れる側に凸となる、請求項６に記載の入口弁。
【請求項８】
円筒状の弁胴の内部を流れる水を閉止するための主板と、前記主板に対向するように配置される副板とを有し、前記弁胴の中心軸に直交する方向に延びる弁軸を中心に前記主板及び前記副板を前記弁胴内で一体的に回転させる弁体を備える入口弁の改修方法であって、
前記主板の板厚方向に互いに対向する一対の面及び前記副板の板厚方向に互いに対向する一対の面のうちの少なくともいずれか一つの面の少なくとも一部が、前記弁軸に直交する断面で見た際に湾曲状又は屈曲状となるように、前記主板及び／又は前記副板を加工する工程を備え、
渦巻き型のケーシングと前記ケーシングの内周側に配置される複数のステーベーンとを有する水力機械の上流側において前記入口弁を全開状態にした際に、前記湾曲状又は屈曲状の面が、前記弁胴の中心軸及び前記弁軸の双方に直交する方向において前記ケーシングから離れる側に凸となるように前記入口弁が改修される、入口弁の改修方法。
【請求項９】
円筒状の弁胴の内部を流れる水を閉止するための少なくとも一つの弁板を有し、前記弁胴の中心軸に直交する方向に延びる弁軸を中心に前記弁板を前記弁胴内で回転させる弁体を備える入口弁の改修方法であって、
前記弁板の板厚方向に互いに対向する一対の面のうちの少なくともいずれか一つの面の少なくとも一部が、前記弁軸に直交する断面で見た際に湾曲状又は屈曲状となるように、前記弁板を加工する工程を備え、
渦巻き型のケーシングと前記ケーシングの内周側に配置される複数のステーベーンとを有する水力機械の上流側において前記入口弁を全開状態にした際に、前記湾曲状又は屈曲状の面が、前記弁胴の中心軸及び前記弁軸の双方に直交する方向において前記ケーシングから離れる側に凸となるに前記入口弁が改修される、入口弁の改修方法。
【請求項１０】
前記湾曲状又は屈曲状の面を加工する工程では、既設された前記主板、前記副板又は前記弁板に対して、前記湾曲状又は屈曲状の面を形成する部材を取り付ける、請求項８又は９に記載の入口弁の改修方法。
【請求項１１】
渦巻き型のケーシングと、前記ケーシングの内周側に配置される複数のステーベーンとを有する水力機械と、
請求項１乃至７のいずれかに記載の入口弁と、を備える、水力機械設備。
【発明の詳細な説明】
【技術分野】
【０００１】
本発明の実施の形態は、入口弁及びその改修方法、並びに水力機械設備に関する。
【背景技術】
【０００２】
一般に水車等の水力機械の上流側には、水力機械へ向かう水を閉止するための入口弁が設置されている。入口弁として利用可能な弁には例えば複葉弁があり、複葉弁は比較的構造が単純で安価なことから、水力機械を利用する多くの設備において採用されている。
【０００３】
図６（ａ）は、一般的な入口弁としての複葉弁１００及びフランシス水車１の概略構成を平面視で示した図であり、図６（ｂ）は、図６（ａ）の領域ＶＩＢの拡大図である。また、図７は、図６（ａ）の矢印ＶＩＩの方向に図６中の複葉弁１００を見た図である。図６（ａ）及び図７に示される複葉弁１００は、円筒状の弁胴１１と、弁胴１１内に回転自在に設けられる弁体２０とを備えている。弁体２０は、弁胴１１の内部を流れる水を閉止するための円板状の主板２１と、主板２１に対向するように配置される副板２２と、主板２１と副板２２とを連結する複数のリブ２３とを有し、これらを弁軸２４を中心に一体的に回転させることで開閉状態を切り換えるようになっている。なお、副板２２及びリブ２３は、主板２１を補強するために設けられる部材である。
【０００４】
このような複葉弁等の入口弁に関連する技術としては、例えば閉止機能を向上させるために弁体の形状に工夫を施す技術や、弁体と弁軸とを分解可能にすることにより、弁構造の簡素化を図る技術等が知られている。なお、水力機械とともに使用される入口弁としては、複葉型ではないバタフライ弁が採用されることもある。
【先行技術文献】
【特許文献】
【０００５】
【特許文献１】特開２０１７−１２９２４９号公報
【特許文献２】特開平０９−２２９２０７号公報
【発明の概要】
【発明が解決しようとする課題】
【０００６】
図６（ａ）に示されるフランシス水車１は、渦巻き型のケーシング２と、ケーシング２の内周側に配置されて周方向に間隔を空けて並ぶ複数のステーベーン３とを有し、複葉弁１００を通過した水の流れをケーシング２において旋回流れにしてから、水をステーベーン３及びガイドベーンを介してランナに供給する。この際、ケーシング２において旋回流れが形成されることにより、ケーシング２からステーベーン３に向かう水の流入角度がステーベーン３の入口角度に近づくことで、水力損失を抑制することが可能となる。
【０００７】
しかしながら、図６（ａ）に示される一般的な構造では、ケーシング２の巻始めにおいて旋回流れが発達しておらず、例えば図６（ａ）中の符号３ａで示されるような巻始め側に位置するステーベーンの入口において、水の流入角度とステーベーンの入口角度とが合っていない。その結果、図６（ｂ）に示されるようにステーベーン３ａの入口端部から剥離Ｓが発生し易くなり、水力損失が増大し易くなっている。
【０００８】
本発明は上記実情に鑑みてなされたものであり、ケーシングからステーベーンに向かう水の流入角度をステーベーンの入口角度に合わせてステーベーン周りの流れを整流することで、水力機械の水力損失を抑制することができる入口弁及びその改修方法、並びに水力機械設備を提供することを目的とする。
【課題を解決するための手段】
【０００９】
本発明の実施の形態に係る入口弁は、円筒状の弁胴の内部を流れる水を閉止するための主板と、前記主板に対向するように配置される副板とを有し、前記弁胴の中心軸に直交する方向に延びる弁軸を中心に前記主板及び前記副板を前記弁胴内で一体的に回転させる弁体を備える。この入口弁は、渦巻き型のケーシングと前記ケーシングの内周側に配置される複数のステーベーンとを有する水力機械の上流側に配置されて前記水力機械に水を流入させる際に、前記主板及び前記副板の少なくともいずれか一方の向き又は形状によって、前記弁体に対して下流の流れを、前記弁体に対して上流の流れよりも前記ケーシングの巻始め側に位置する前記ステーベーンの入口角度に沿うように転向させる。
【００１０】
また、本発明の他の実施の形態に係る入口弁は、円筒状の弁胴の内部を流れる水を閉止するための少なくとも一つの弁板を有し、前記弁胴の中心軸に直交する方向に延びる弁軸を中心に前記弁板を前記弁胴内で回転させる弁体を備える入口弁である。この入口弁は、渦巻き型のケーシングと前記ケーシングの内周側に配置される複数のステーベーンとを有する水力機械の上流側に配置されて前記水力機械に水を流入させる際に、前記弁体の向き又は形状によって、前記弁体に対して下流の流れを、前記弁体に対して上流の流れよりも前記ケーシングの巻始め側に位置する前記ステーベーンの入口角度に沿うように転向させる。
【００１１】
また、本発明の実施の形態に係る入口弁の改修方法は、円筒状の弁胴の内部を流れる水を閉止するための主板と、前記主板に対向するように配置される副板とを有し、前記弁胴の中心軸に直交する方向に延びる弁軸を中心に前記主板及び前記副板を前記弁胴内で一体的に回転させる弁体を備える入口弁の改修方法である。本改修方法は、前記主板の板厚方向に互いに対向する一対の面及び前記副板の板厚方向に互いに対向する一対の面のうちの少なくともいずれか一つの面の少なくとも一部が、前記弁軸に直交する断面で見た際に湾曲状又は屈曲状となるように、前記主板及び／又は前記副板を加工する工程を備える。そして、この方法では、渦巻き型のケーシングと前記ケーシングの内周側に配置される複数のステーベーンとを有する水力機械の上流側において前記入口弁を全開状態にした際に、前記湾曲状又は屈曲状の面が、前記弁胴の中心軸及び前記弁軸の双方に直交する方向において前記ケーシングから離れる側に凸となるように前記入口弁が改修される。
【００１２】
また、本発明の他の実施の形態に係る入口弁の改修方法は、円筒状の弁胴の内部を流れる水を閉止するための少なくとも一つの弁板を有し、前記弁胴の中心軸に直交する方向に延びる弁軸を中心に前記弁板を前記弁胴内で回転させる弁体を備える入口弁の改修方法である。本改修方法は、前記弁板の板厚方向に互いに対向する一対の面のうちの少なくともいずれか一つの面の少なくとも一部が、前記弁軸に直交する断面で見た際に湾曲状又は屈曲状となるように、前記弁板を加工する工程を備える。そして、この方法では、渦巻き型のケーシングと前記ケーシングの内周側に配置される複数のステーベーンとを有する水力機械の上流側において前記入口弁を全開状態にした際に、前記湾曲状又は屈曲状の面が、前記弁胴の中心軸及び前記弁軸の双方に直交する方向において前記ケーシングから離れる側に凸となるに前記入口弁が改修される。
【００１３】
また、本発明の実施の形態に係る水力機械設備は、渦巻き型のケーシングと、前記ケーシングの内周側に配置される複数のステーベーンとを有する水力機械と、前記入口弁と、を備える設備である。
【発明の効果】
【００１４】
本発明によれば、ケーシングからステーベーンに向かう水の流入角度をステーベーンの入口角度に合わせてステーベーン周りの流れを整流することで、水力機械の水力損失を抑制することができる。
【図面の簡単な説明】
【００１５】
【図１】図１（ａ）は、第１の実施の形態に係る入口弁としての複葉弁とフランシス水車とを備える水力機械設備の概略構成を平面視で示した図であり、図１（ｂ）は、図１（ａ）の領域ＩＢの拡大図である。
【図２】第２の実施の形態に係る入口弁としての複葉弁とフランシス水車とを備える水力機械設備の概略構成を平面視で示した図である。
【図３】図３（ａ）は、第３の実施の形態に係る全開状態の入口弁としての複葉弁をその弁胴の中心軸に沿って見た図であり、図３（ｂ）は、図３（ａ）の矢印ＩＩＩＢの方向に見た複葉弁の弁体を示す図である。
【図４】第４の実施の形態に係る入口弁としての複葉弁とフランシス水車とを備える水力機械設備の概略構成を平面視で示した図である。
【図５】第５の実施の形態に係る入口弁としての複葉弁とフランシス水車とを備える水力機械設備の概略構成を平面視で示した図である。
【図６】図６（ａ）は、入口弁としての一般的な複葉弁及びフランシス水車の概略構成を平面視で示した図であり、図６（ｂ）は、図６（ａ）の領域ＶＩＢの拡大図である。
【図７】図６（ａ）の矢印ＶＩＩの方向に見た一般的な複葉弁の弁体を示す図である。
【発明を実施するための形態】
【００１６】
以下に、添付の図面を参照して、本発明の各実施の形態を詳細に説明する。
【００１７】
（第１の実施の形態）
第１の実施の形態における構成部分のうちの図６及び図７で説明した構成部分と同様のもの又は類似するものには、同一の符号を付し、その説明を省略する場合がある。図１（ａ）は、第１の実施の形態に係る入口弁としての複葉弁１０Ａとフランシス水車１とを備える水力機械設備（詳しくは水力発電設備）の概略構成を平面視で示した図であり、図１（ｂ）は、図１（ａ）の領域ＩＢの拡大図である。
【００１８】
フランシス水車１は、渦巻き型のケーシング２と、ケーシング２の内周側に配置されて周方向に間隔を空けて並ぶ複数のステーベーン３とを備えており、ケーシング２は、直線状に延びる円筒体である直管部２Ａと、直管部２Ａから渦巻き状に湾曲して延びる曲り管部２Ｂとを有している。本実施の形態では、直管部２Ａの一側開口端に複葉弁１０Ａが接続されており、直管部２Ａの他側開口端から曲り管部２Ｂが延びている。図１（ａ）において二点鎖線で示したラインＰＬは、直管部２Ａと複葉弁１０Ａとの境界を示している。
【００１９】
直管部２Ａは、ステーベーン３が構成する円形翼列の外側で当該円形翼列の接線方向に沿って延びるように位置している。一方、曲り管部２Ｂは、直管部２Ａから湾曲して延びるに従い、その断面積が漸減するように構成されている。このような曲り管部２Ｂの断面積の漸減に応じて曲り管部２Ｂの外周面が渦巻き型となっており、これにより、本例のケーシング２は渦巻き型を呈するようになっている。
【００２０】
複葉弁１０Ａは、円筒状の弁胴１１と、弁胴１１内に回転自在に設けられる弁体２０とを備えており、弁体２０は、弁胴１１の内部を流れる水を閉止するための円板状の主板２１と、主板２１に対向するように配置される副板２２と、主板２１と副板２２とを連結する複数のリブ２３とを有し、これら主板２１、副板２２及びリブ２３を弁軸２４を中心に一体的に回転させるようになっている。
【００２１】
弁軸２４は、弁胴１１の中心軸ＣＢに直交する方向に延び、渦巻き型のケーシング２の渦巻き中心である中心軸ＣＣと平行に配置されている。なお、ケーシング２の中心軸ＣＣは、ケーシング２の内周側に配置される図示省略するランナの回転軸線と同軸状に位置している。また、図１（ａ）のようにケーシング２の中心軸ＣＣに沿って見た際に、弁軸２４は主板２１と副板２２との間に位置するようになっている。
【００２２】
図１（ａ）においては、複葉弁１０Ａが全開状態となっており、本実施の形態では、この状態において副板２２が主板２１よりもケーシング２に近い側に位置している。また、本実施の形態では、この全開状態から複葉弁１０Ａを時計回りに９０度回転させることで、複葉弁１０Ａが全閉状態となる。全閉状態においては、主板２１の板厚方向及び副板２２の板厚方向が弁胴１１の中心軸ＣＢに沿う状態となる。
【００２３】
本実施の形態では、主板２１及び副板２２の全体がそれぞれ弁軸２４に直交する断面で見た際に翼形状になっている。これにより、主板２１の板厚方向に互いに対向する一対の面２１Ａ，２１Ｂがそれぞれ全体的に湾曲状となっており、副板２２の板厚方向に互いに対向する一対の面２２Ａ，２２Ｂもそれぞれ全体的に湾曲状となっている。言い換えると、主板２１及び副板２２を弁軸２４に直交する断面で弁軸２４の軸方向に順次見た際に、主板２１が全体的に翼形状となるとともに、副板２２も全体的に翼形状となっており、主板２１において翼形状をなす領域（ここでは、軸方向の全域にわたる領域）の一対の翼面部分が、湾曲状の一対の面２１Ａ，２１Ｂを形成し、副板２２において翼形状をなす領域（ここでは、軸方向の全域にわたる領域）の一対の翼面部分が、湾曲状の一対の面２２Ａ，２２Ｂを形成している。
【００２４】
特に本実施の形態では、図１（ａ）に示される複葉弁１０Ａの全開状態において、主板２１の一対の面２１Ａ，２１Ｂ及び副板２２の一対の面２２Ａ，２２Ｂの全てが、弁胴１１の中心軸ＣＢ及び弁軸２４の双方に直交する方向Ｄ１においてケーシング２から離れる側に凸となるように形成されている。なお、上述の各湾曲状の面は、弁軸２４に直交する断面で見た際、主板２１又は副板２２の長手方向の両端部の間の全域にわたり滑らかに連なることが好ましいが、主板２１又は副板２２の長手方向の両端部の間の一部において設けられもよい。
【００２５】
本実施の形態の作用について以下に説明する。図１（ａ）においては、複葉弁１０Ａが全開状態となっており、この場合、フランシス水車１では、上池から水圧鉄管に流入した水が複葉弁１０Ａを介してケーシング２に流入する。ケーシング２においては旋回流れが形成され、その後、水はケーシング２の内周側からステーベーン３に流入する。ステーベーン３を通過した水は、ガイドベーンからランナに流れ込み、その水流によってランナを回転駆動し、これにより発電機が駆動されることになる。
【００２６】
この際、本実施の形態では、主板２１の一対の面２１Ａ，２１Ｂ及び副板２２の一対の面２２Ａ，２２Ｂの全てが湾曲状であり、複葉弁１０Ａが全開状態とされた際に、これら各面が弁胴１１の中心軸ＣＢ及び弁軸２４の双方に直交する方向Ｄ１においてケーシング２から離れる側に凸となる。これにより、図１（ａ）に示すように、複葉弁１０Ａを通過する水の流れは、矢印αに示すようにケーシング２側へ転向される。これにより、図１（ｂ）に示すように、ケーシング２の巻始め側に位置するステーベーン３の入口角度と水の流入角度とが合うようになり、特にケーシング２の巻始め側に位置するステーベーン３の入口端部から剥離が発生することが抑制されるようになる。
【００２７】
したがって、本実施の形態によれば、ケーシング２からステーベーン３に向かう水の流入角度をステーベーン３の入口角度に合わせてステーベーン３周りの流れを整流することで、水力機械の水力損失を抑制することができる。なお、本実施の形態の主板２１及び副板２２は、弁体２０に対して下流の流れを、弁体２０に対して上流の流れよりもケーシング２の巻始め側に位置するステーベーン３の入口角度に沿うように転向させており、この転向作用をその向き又は形状によって実現している。ここで、巻始め側に位置するステーベーン３とは、直管部２Ａが延びるステーベーン３の円形翼列の接線方向、及び、この接線方向及びケーシング２の中心軸ＣＣの両方に直交する方向で、その外周側端部がその内周側端部よりも直管部２Ａに近くなるステーベーンのことを意味する。
【００２８】
（第２の実施の形態）
次に、第２の実施の形態について説明する。本実施の形態における構成部分のうちの図６及び図７で説明した構成部分並びに第１の実施の形態の構成部分と同様のものには、同一の符号を付し、その説明を省略する場合がある。
【００２９】
図２は、第２の実施の形態に係る入口弁としての複葉弁１０Ｂとフランシス水車１とを備える水力機械設備の概略構成を平面視で示した図である。図２における複葉弁１０Ｂは全開状態となっている。本実施の形態は、全開状態の複葉弁１０Ｂにおいて、主板２１が副板２２よりもケーシング２に近い側に位置する点において第１の実施の形態と異なっている。また、全開状態から複葉弁１０Ａを反時計回りに９０度回転させることで、複葉弁１０Ａが全閉状態となる点においても第１の実施の形態と異なっている。以上の点で本実施の形態は第１の実施の形態と異なる一方、主板２１の一対の面２１Ａ，２１Ｂ及び副板２２の一対の面２２Ａ，２２Ｂは、第１の実施の形態と同様の湾曲状となっており、その他の構成も第１の実施の形態と同様である。
【００３０】
このような第２の実施の形態においても、ケーシング２からステーベーン３に向かう水の流入角度をステーベーン３の入口角度に合わせてステーベーン３周りの流れを整流することで、水力機械の水力損失を抑制することができる。
【００３１】
（第３の実施の形態）
次に、第３の実施の形態について説明する。本実施の形態における構成部分のうちの図６及び図７で説明した構成部分並びに第１及び第２の実施の形態の構成部分と同様のものには、同一の符号を付し、その説明を省略する場合がある。
【００３２】
図３（ａ）は、第３の実施の形態に係る全開状態の入口弁としての複葉弁１０Ｃをその弁胴１１の中心軸に沿って見た図であり、図３（ｂ）は、図３（ａ）の矢印ＩＩＩＢの方向に見た複葉弁１０Ｃの弁体２０を示した図である。本実施の形態に係る複葉弁１０Ｃにおいては、主板２１及び副板２２が、弁軸２４に直交する断面で見た際に部分的に翼形状になっている。詳しくは、主板２１の一対の面２１Ａ，２１Ｂのそれぞれが弁軸２４に直交する断面で見た際に部分的に湾曲状となっており、副板２２の一対の面２２Ａ，２２Ｂのそれぞれが弁軸２４に直交する断面で見た際に部分的に湾曲状となっている。第３の実施の形態は、以上の点において、第１又は第２の実施の形態と異なる。
【００３３】
図３（ａ）及び図３（ｂ）においてハッチングを付した部分が、主板２１及び副板２２における翼形状を含む部分である。図３（ａ）に示すように、主板２１と副板２２とは２つのリブ２３によって連結され、主板２１における翼形状を含む部分は主板２１とリブ２３との連結部２５Ａを避けた位置に形成され、副板２２における翼形状を含む部分も副板２２とリブ２３との連結部２５Ｂを避けた位置に形成されている。また、主板２１の翼形状を含む部分の板厚は、主板２１の連結部２５Ａを含む部分の板厚よりも小さくなっており、副板２２の翼形状を含む部分の板厚は副板２２の連結部２５Ｂを含む部分の板厚よりも小さくなっている。
【００３４】
このような第３の実施の形態においては、主板２１における翼形状を含む部分がリブ２３との連結部２５Ａを避けた位置に形成され、主板２１の翼形状を含む部分の板厚が主板２１の連結部２５Ａを含む部分の板厚よりも小さくなっている。これにより、主板２１とリブ２３との適正な連結剛性を確保しつつ、全開状態の弁体２０の弁胴１１の軸方向における投影面積が主板２１の板厚が一定の場合よりも小さくなるため、水力損失をより一層抑制することができる。なお、副板２２においても同様のことが言える。
【００３５】
（第４の実施の形態）
次に、第４の実施の形態について説明する。本実施の形態における構成部分のうちの図６及び図７で説明した構成部分並びに第１乃至第３の実施の形態の構成部分と同様のものには、同一の符号を付し、その説明を省略する場合がある。
【００３６】
図４は、第４の実施の形態に係る入口弁としての複葉弁１０Ｄとフランシス水車１とを備える水力機械設備の概略構成を平面視で示した図である。図４に示される本実施の形態では、全開状態の複葉弁１０Ｄにおいて、副板２２が主板２１よりもケーシング２に近くなり、この副板２２のみに翼形状が形成され、副板２２の一対の面２２Ａ，２２Ｂの少なくとも一部が湾曲状となっている。一方、主板２１は平板状となっている。以上の点において、第１の実施の形態と異なる。
【００３７】
このような第４の実施の形態では、副板２２のみを湾曲状にして、例えば主板２１は既存の平板状のものを流用することができるため、簡易に且つコストを抑えて水力損失を抑制することができる。なお、全開状態において主板２１が副板２２よりもケーシング２に近くなる場合には、主板２１のみに翼形状部分を形成してもよい。
【００３８】
（第５の実施の形態）
次に、第５の実施の形態について説明する。本実施の形態における構成部分のうちの図６及び図７で説明した構成部分並びに第１乃至第４の実施の形態の構成部分と同様のものには、同一の符号を付し、その説明を省略する場合がある。
【００３９】
図５は、第５の実施の形態に係る入口弁としての複葉弁１０Ｅとフランシス水車１とを備える水力機械設備の概略構成を平面視で示した図である。図５に示される本実施の形態では、全開状態の複葉弁１０Ｅにおいて、主板２１が副板２２よりもケーシング２に対して遠い位置にあり、主板２１のみに翼形状が形成され、副板２２は平板状となっている。主板２１は、平板状のベース部３１と、ベース部３１の一方の面に取り付けられた翼形状部材３２とを有し、翼形状部材３２の外面が全開状態でケーシング２から離れる側に凸となる湾曲状の面となっている。以上の点において、第１の実施の形態と異なる。
【００４０】
このような第５の実施の形態においては、例えば既設の複葉弁が備える平板状の主板をベース部３１として、これに翼形状部材３２を取り付けるような改修を行うことにより、複葉弁１０Ｅが構成され得る。このような改修方法を行った場合には、簡易に且つコストを抑えて、既設の複葉弁において水力損失の抑制効果を持たせることができる。
【００４１】
以上、本発明の実施の形態を説明したが、上記の実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【００４２】
例えば第１の本実施の形態では、主板２１の一対の面２１Ａ，２１Ｂ及び副板２２の一対の面２２Ａ，２２Ｂが全て湾曲状となっているが、例えば主板２１の一対の面２１Ａ，２１Ｂのうちの一方のみが湾曲状となっていてもよく、副板２２の一対の面２２Ａ，２２Ｂのうちの一方のみが湾曲状となっていてもよい。
【００４３】
また、各実施の形態では、主板２１及び／又は副板２２の全部又は一部が翼形状となっており、主板２１及び／又は副板２２に湾曲状の面が含まれる例を説明したが、主板２１及び／又は副板２２に屈曲状の面が含まれていてもよい。
【００４４】
また、各実施の形態では、入口弁が複葉弁である例を説明したが、実施の形態に係る入口弁はバタフライ弁であってもよい。この場合、弁体の板厚方向に互い対向する一対の面のうちの少なくともいずれか一つの面の少なくとも一部が、その弁軸に直交する断面で見た際に湾曲状又は屈曲状となっていればよい。そして、バタフライ弁が全開状態とされた際に、前記湾曲状又は屈曲状の面が、その弁胴の中心軸及び弁軸の双方に直交する方向においてケーシング２から離れる側に凸となっていればよい。
【００４５】
ケーシング２からの流れをステーベーン３の入口角度に合わせることを考慮すると、上記弁体の一対の面は、それぞれが全開状態においてケーシング２から離れる側に凸となるように形成されることが好ましい。あるいは、上記一対の面のうちの全開状態においてケーシング２に対し遠い位置になる面が、ケーシング２から離れる側に凸となり、ケーシング２に対し近い位置になる面が平坦状となっていることが好ましい。また、上記一対の面のうちの全開状態においてケーシング２に対し近い位置になる面が、ケーシング２から離れる側に凸となり、ケーシング２に対し遠い位置になる面が平坦状となっていてもよい。
但し、上記一対の面のうちの全開状態においてケーシング２に対し遠い位置になる面が、ケーシング２から離れる側に凸となり、ケーシング２に対し近い位置になる面が、ケーシング２に近づく側に凸となるように弁体を形成してもよいが、この場合は、上記一対の面を非対称にする。つまり、弁軸の軸方向視で、一方の面を、その両端部を結んだ直線に関して反転させた際に、他方の面と一致させないようにする。とりわけ、この場合には、ケーシング２から離れる側に凸となる面が、ケーシング２に近づく側に凸となる面よりも大きく反るようにすることが良い。
【００４６】
なお、複葉弁における主板２１の一対の面２１Ａ，２１Ｂに湾曲状又は屈曲状の面が含まれる場合においても、一対の面２１Ａ，２１Ｂは、それぞれが全開状態においてケーシング２から離れる側に凸となるように形成されることが好ましい。あるいは、上記一対の面２１Ａ，２１Ｂのうちの全開状態においてケーシング２に対し遠い位置になる面が、ケーシング２から離れる側に凸となり、ケーシング２に対し近い位置になる面が平坦状となっていることが好ましい。また、上記一対の面２１Ａ，２１Ｂのうちの全開状態においてケーシング２に対し近い位置になる面が、ケーシング２から離れる側に凸となり、ケーシング２に対し遠い位置になる面が平坦状となっていてもよい。但し、上記一対の面２１Ａ，２１Ｂのうちの全開状態においてケーシング２に対し遠い位置になる面が、ケーシング２から離れる側に凸となり、ケーシング２に対し近い位置になる面が、ケーシング２に近づく側に凸となるように弁体を形成してもよい。
以上の点は、副板２２においても同様のことが言える。
【００４７】
また、各実施の形態における入口弁としての複葉弁は、主板２１のみが水の流れを閉止する機能を有するが、入口弁は、２枚の弁板を有し、それぞれが水の流れを閉止する機能を有するダブルシール形複葉弁であってもよい。
【００４８】
また、上述の各実施の形態では、入口弁とフランシス水車とを組み合わせた例を説明したが、本発明に係る入口弁は、フランシス型ポンプ水車、カプラン水車等の他のタイプの水力機械と組み合わせることもできる。また、上述の各実施の形態では、弁体２０を通過する流れの転向が弁体２０の向き又は形状によって実現されているが、このような転向作用は他の態様で実現されてもよく、例えば、主板２１又は副板２２の弁軸２４を中心とする回転角度を流量に応じて微小に調整する機構を用いた場合にも、上述の転向作用は実現され得る。
【００４９】
また、上述の各実施の形態では、ステーベーンの入口角度に沿うように流れを転向させる転向作用を入口弁が有している。しかしながら、このような転向作用は、渦巻き型のケーシングとケーシングの内周側に配置される複数のステーベーン３を有する水力機械の上流側に配置され、水力機械への流体を閉止するための入口弁以外の弁装置に具備されてもよい。
【符号の説明】
【００５０】
１…フランシス水車、２…ケーシング、２Ａ…直管部、２Ｂ…曲り管部、３…ステーベーン、１０Ａ，１０Ｂ，…複葉弁、１１…弁胴、２０…弁体、２１…主板、２１Ａ，２１Ｂ…面、２２…副板、２２Ａ，２２Ｂ…面、２３…リブ、２４…弁軸、２５Ａ，２５Ｂ…連結部、１００…一般的な複葉弁
【図１】
2019132323.tif 000003
【図２】
2019132323.tif 000004
【図３】
2019132323.tif 000005
【図４】
2019132323.tif 000006
【図５】
2019132323.tif 000007
【図６】
2019132323.tif 000008
【図７】
2019132323.tif 000009